(57)【要約】【課題】  従来の防水ブーツはコネクタ用ブーツとの連結部分にテープを巻かなければならず、着脱に手間が掛かっていた。また。テープの隙間から雨水等が内部に浸入するおそれもあった。【解決手段】  本発明のＣＡＴＶ機器用防水ブーツは、端子被覆部中継部品被覆部が一連に形成され、前記端子被覆部の上端部は接続端子の外側に形成された水切り用外周壁とその内側の接続端子との間に差込み可能な径に形成され、中継部品被覆部にはケーブル接続用コネクタを被覆するコネクタ用ブーツの上端部外周を被覆できるオーバーラップ部が設けられた。オーバーラップ部には、コネクタ用ブーツの開口部内に差込可能な差込部と、コネクタ用ブーツの上端部外周に被さる外側被覆部とが同心円状に設けられ、前記差込部と外側被覆部との間にコネクタ用ブーツの上端部が差し込まれる差込み空間が形成された。本発明の被覆構造は、前記防水ブーツをＣＡＴＶ機器に備えたものである。【選択図】      図１
2008140597.tif 000002
【特許請求の範囲】
【請求項１】
ＣＡＴＶ機器の外部に突出している接続端子を被覆可能な筒状の端子被覆部と、その接続端子に取付ける中継部品を被覆可能な筒状の中継部品被覆部が一連に形成され、前記端子被覆部の上端部は接続端子の外側に形成された水切り用外周壁とその内側の接続端子との間に差込み可能な径に形成され、中継部品被覆部には中継部品に取付けられるケーブル接続用コネクタの外周を被覆する筒状のコネクタ用ブーツの上端部外周に被さるオーバーラップ部が設けられたことを特徴とするＣＡＴＶ機器用防水ブーツ。
【請求項２】
請求項１記載のＣＡＴＶ機器用防水ブーツにおいて、オーバーラップ部にコネクタ用ブーツの開口部内に差込可能な差込部と、コネクタ用ブーツの上端部外周に被さる外側被覆部とが同心円状に設けられ、前記差込部と外側被覆部との間にコネクタ用ブーツの上端部が差し込まれる差込み空間が形成されたことを特徴とするＣＡＴＶ機器用防水ブーツ。
【請求項３】
接続端子に中継部品が取付けられ、中継部品にケーブル接続用コネクタが一連に連結され、前記接続端子及び中継部品が請求項１記載のＣＡＴＶ機器用防水ブーツで被覆され、ケーブル接続用コネクタの外周がコネクタ用ブーツで被覆され、コネクタ用ブーツの上端部外周がＣＡＴＶ機器用防水ブーツのオーバーラップ部で外側から被覆されたことを特徴とするＣＡＴＶ機器用接続端子部の被覆構造。
【請求項４】
接続端子に中継部品が取付けられ、中継部品にケーブル接続用コネクタが一連に連結され、前記接続端子及び中継部品が請求項２記載のＣＡＴＶ機器用防水ブーツで被覆され、ケーブル接続用コネクタの外周がコネクタ用ブーツで被覆され、コネクタ用ブーツの上端部外周がＣＡＴＶ機器用防水ブーツの差込み空間内に嵌入され、ＣＡＴＶ機器用防水ブーツのオーバーラップ部の差込部がコネクタ用ブーツの開口部内に差込まれ、同オーバーラップ部の外側被覆部がコネクタ用ブーツの上端部外周を被覆したことを特徴とするＣＡＴＶ機器用接続端子部の被覆構造。
【発明の詳細な説明】
【技術分野】
【０００１】
本発明は、タップオフ等の各種ＣＡＴＶ機器に突設されている接続端子と、その接続端子に取付ける上りカットフィルタやアッテネータ等の中継部品の外周を被覆して雨水や塵埃等の浸入を防ぐＣＡＴＶ機器用防水ブーツと、そのＣＡＴＶ機器用防水ブーツと中継部品に連結されるケーブル接続用コネクタを被覆するコネクタ用ブーツとを用いたＣＡＴＶ機器用接続端子部の被覆構造に関するものである。
【背景技術】
【０００２】
ＣＡＴＶシステムには増幅器、タップオフ等の各種機器が使用されている。タップオフは図３（ａ、ｂ）に示すように機器底面に接続端子Ａが突設されており、通常は、それにケーブルが接続されたＮＦコネクタＢが取付けられる。場合によっては、接続端子ＡとＮＦコネクタＢの間に流合雑音阻止用の上りカットフィルタＣが連結されることがある。この場合、図３（ｂ）に示すように接続端子Ａ及び上りカットフィルタＣの外周を下方細りの筒状の防水ブーツＤで被覆し、ＮＦコネクタＢの外周を下方細りの筒状のコネクタ用ブーツＥで被覆し、前記防水ブーツＤの下端をコネクタ用ブーツＥ内に差込み、防水ブーツＤとコネクタ用ブーツＥの連結部分Ｆの外周にテープＧを巻いて両ブーツＤ、Ｅ内に雨水や塵埃等が入らないようにしている。前記上りカットフィルタに代えてアッテネータ（減衰器）や他の機器が接続されることがあり、前記ＮＦコネクタに代えてＦ型コネクタや他の型式のケーブル接続用コネクタが連結される場合もある。
【０００３】
上りカットフィルタＣを省略して接続端子ＡにＮＦフィルタＢを直接取付ける場合、図４（ａ、ｂ）に示すように、前記防水ブーツＤの装着を省略して、接続端子Ａ及びＮＦコネクタＢを前記コネクタ用ブーツＥで被覆している。
【発明の開示】
【発明が解決しようとする課題】
【０００４】
前記図３（ｂ）、図４（ｂ）に示す被覆構造は次のような課題があった。
（１）図３（ｂ）の被覆構造では、両ブーツＤ、Ｅの連結部分Ｆの外周にテープＧを巻きつけなければならず、連結に手間が掛かる。
（２）前記のようにテープＧを巻いたとしても、完全防水になるわけではなく、テープＧ及び両ブーツＤ、Ｅの隙間から雨水等が内部に浸入して、接続端子Ａ、上りカットフィルタＣ、ＮＦコネクタＢの異常発生原因になるおそれがある。
（３）上りカットフィルタＣを取外す場合、テープＧを一々取外さなければならず手間が掛かる。
【課題を解決するための手段】
【０００５】
本発明は防水ブーツとコネクタ用ブーツの連結部分にテープを巻くことなく両ブーツを連結でき、前記課題を解決できるＣＡＴＶ機器用防水ブーツと、それを使用したＣＡＴＶ機器用接続端子部の被覆構造を提供するものである。
【０００６】
本件出願の請求項１記載のＣＡＴＶ機器用防水ブーツは、ＣＡＴＶ機器の外部に突出している接続端子を被覆可能な筒状の端子被覆部と、その接続端子に取付ける中継部品を被覆可能な筒状の中継部品被覆部が一連に形成され、前記端子被覆部の上端部は接続端子の外側に形成された水切り用外周壁とその内側の接続端子との間に差込み可能な径に形成され、中継部品被覆部には中継部品に取付けられるケーブル接続用コネクタの外周を被覆する筒状のコネクタ用ブーツの上端部外周に被さるオーバーラップ部が設けられたものである。
【０００７】
本件出願の請求項２記載のＣＡＴＶ機器用防水ブーツは、請求項１記載のＣＡＴＶ機器用防水ブーツにおいて、オーバーラップ部にコネクタ用ブーツの開口部内に差込可能な差込部と、コネクタ用ブーツの上端部外周に被さる外側被覆部とが同心円状に設けられ、前記差込部と外側被覆部との間にコネクタ用ブーツの上端部が差し込まれる差込み空間が形成されたものである。
【０００８】
本件出願の請求項３記載のＣＡＴＶ機器用接続端子部の被覆構造は、接続端子に中継部品が取付けられ、中継部品にケーブル接続用コネクタが一連に連結され、前記接続端子及び中継部品が請求項１記載のＣＡＴＶ機器用防水ブーツで被覆され、ケーブル接続用コネクタの外周がコネクタ用ブーツで被覆され、コネクタ用ブーツの上端部外周がＣＡＴＶ機器用防水ブーツのオーバーラップ部で外側から被覆されたものである。
【０００９】
本件出願の請求項４記載のＣＡＴＶ機器用接続端子部の被覆構造は、接続端子に中継部品が取付けられ、中継部品にケーブル接続用コネクタが一連に連結され、前記接続端子及び中継部品が請求項２記載のＣＡＴＶ機器用防水ブーツで被覆され、ケーブル接続用コネクタの外周がコネクタ用ブーツで被覆され、コネクタ用ブーツの上端部外周がＣＡＴＶ機器用防水ブーツの差込み空間内に嵌入され、ＣＡＴＶ機器用防水ブーツのオーバーラップ部の差込部がコネクタ用ブーツの開口部内に差込まれ、同オーバーラップ部の外側被覆部がコネクタ用ブーツの上端部外周を被覆したものである。
【発明の効果】
【００１０】
本件出願の請求項１記載のＣＡＴＶ機器用防水ブーツは次のような効果がある。
（１）端子被覆部の上端部をＣＡＴＶ機器の水切り用外周壁とその内側の接続端子との間に差込み可能な径としているので、その上端部を前記差込み空間に差込めば、ＣＡＴＶ機器用防水ブーツ等への雨水の浸入を防止でき、接続端子、中継部品、ケーブル接続用コネクタの故障発生を防止できる。
（２）中継部品被覆部にケーブル接続用コネクタの外周を被覆するコネクタ用ブーツの上端部外周を被覆できるオーバーラップ部を設けたので、コネクタ用ブーツとの連結の際にオーバーラップ部で前記上端部外周を被覆すれば、連結部分にテープを巻かなくても雨水等が内部に浸入することがなく、接続端子、中継部品、ケーブル接続用コネクタの故障発生を防止できる。
【００１１】
本件出願の請求項２記載のＣＡＴＶ機器用防水ブーツは次のような効果がある。
（１）オーバーラップ部にコネクタ用ブーツの開口部内に差込可能な差込部と、コネクタ用ブーツの上端部外周に被さる外側被覆部とを同心円状に設け、差込部と外側被覆部との間にコネクタ用ブーツの上端部を差込み可能な差込み空間を形成したので、差込み空間にコネクタ用ブーツの上端部を差込むことにより、ＣＡＴＶ機器用防水ブーツとコネクタ用ブーツが連結され、連結部分にテープを巻きつける必要もなく、連結を容易に行うことができる。
（２）ＣＡＴＶ機器用防水ブーツとコネクタ用ブーツの連結にテープを用いないため、中継部品を取外す場合も、手間がかからない。
【００１２】
本件出願の請求項３記載のＣＡＴＶ機器用接続端子部の被覆構造は次のような効果がある。
（１）接続端子に一連に取付けた中継部品とケーブル接続用コネクタが前記ＣＡＴＶ機器用防水ブーツ及びコネクタ用ブーツで被覆されているので、ＣＡＴＶ機器用防水ブーツの上側から雨水等が内部に浸入することがない。
（２）請求項１記載のＣＡＴＶ機器用防水ブーツを使用するため、ＣＡＴＶ機器用防水ブーツとコネクタ用ブーツの連結にテープが不要になり、連結作業が容易になる。
（３）ケーブル接続用コネクタの外周がコネクタ用ブーツで被覆され、コネクタ用ブーツの上端部外周がＣＡＴＶ機器用防水ブーツのオーバーラップ部で被覆されているので、両ブーツの連結部に雨水が浸入するおそれもない。
（４）ＣＡＴＶ機器用防水ブーツとコネクタ用ブーツの連結にテープを使用する必要がないため、中継部品の取外しも容易に行うことができる。
【００１３】
本件出願の請求項４記載のＣＡＴＶ機器用接続端子部の被覆構造は次のような効果がある。
（１）コネクタ用ブーツの上端部外周がＣＡＴＶ機器用防水ブーツの差込み空間内に嵌入され、ＣＡＴＶ機器用防水ブーツの差込部がコネクタ用ブーツの開口部内に差込まれ、ＣＡＴＶ機器用防水ブーツの外側被覆部がコネクタ用ブーツの上端部外周に被さっているので、両ブーツの連結部に雨水等が浸入することがない。
（２）請求項２記載のＣＡＴＶ機器用防水ブーツを使用するため、ＣＡＴＶ機器用防水ブーツとコネクタ用ブーツの連結にテープが不要になり、連結・取外し作業が容易になる。
【発明を実施するための最良の形態】
【００１４】
（ＣＡＴＶ機器用防水ブーツの実施形態１）
本発明のＣＡＴＶ機器用防水ブーツの実施形態の一例を、図１、図２に基づいて説明する。このＣＡＴＶ機器用防水ブーツ１は図２に示すようにタップオフのようなＣＡＴＶ機器２の底面に突設された接続端子３と、それに取付けられる上りカットフィルタやアッテネータ（減衰器）等の中継部品４の外周を被覆可能なものである。また、中継部品４の下に連結されたＮＦコネクタやＦ型コネクタ等のケーブル接続用コネクタ（以下「コネクタ」とする。）１０の外周を被覆するコネクタ用ブーツ１１との連結を容易且つ確実にしたものである。これらを実現するため、図１（ａ、ｂ）に示すように、前記接続端子３の外周を被覆可能な筒状の端子被覆部５と、接続端子３に連結する中継部品４の外周を被覆可能な筒状の中継部品被覆部６が一連に突設されており、前記端子被覆部５の上端部７はＣＡＴＶ機器２の底面に突設されている水切り用外周壁８と、その内側に同心円状に形成されている接続端子３との間の差込み空間９に差込み可能な径に形成され、中継部品被覆部６には、中継部品４に連結されたコネクタ１０の外周を被覆する筒状のコネクタ用ブーツ１１の上端部外周１２を被覆できるオーバーラップ部１３が設けられている。前記オーバーラップ部１３には、図１（ａ、ｂ）に示すように、コネクタ用ブーツ１１内に差込可能な差込部１４と、コネクタ用ブーツ１１の上端部外周１２に被せることのできる外周被覆部１５とが同心円状に形成され、その差込部１４と外周被覆部１５の間に差込み空間１６が形成されている。
【００１５】
このＣＡＴＶ機器用防水ブーツ１は図１、図２に示すように接続端子３と中継部品４との外周を一連に被覆することが可能な縦長筒状であり、下端側が裾広がりに形成されている。ＣＡＴＶ機器用防水ブーツ１はゴム製や軟質プラスティック製にして可撓性のあるものとすることが望ましい。
【００１６】
端子被覆部５の上端部７は、図１（ｂ）、図２に示すように、ＣＡＴＶ機器２の底面に形成された環状の水切り用外周壁８とその内側の接続端子３との間の差込み空間９に差込み可能な径、肉厚に形成されて、水切り用外周壁８と接続端子３との間の差込み空間９に差し込むと、接続端子３が端子被覆部５によって密閉されて被覆され、ＣＡＴＶ機器用防水ブーツ１の上側から雨水等が内部に浸入できなくなる。
【００１７】
中継部品被覆部６の下端部付近には、図１、図２に示すオーバーラップ部１３が形成され、コネクタ用ブーツ１１の上端部外周１２に被せることができるようにしてある。このコネクタ用ブーツ１１は従来から存在するブーツであり、縦長筒状であり下部が先細りに形成され、中継部品４に連結されるコネクタ１０の外周を被覆可能な内径に形成され、全長を被覆可能な長さに形成されている。前記オーバーラップ部１３は図１、図２に示すように差込部１４が外周被覆部１５よりも下方に突出しており、その差込部１４はコネクタ用ブーツ１１内に差込み可能な外径の筒状に形成されている。外周被覆部１５は前記差込部１４をコネクタ用ブーツ１１内に差込んで、コネクタ用ブーツ１１の上端部外周１２を差込部１４と外周被覆部１５の間の差込み空間１６に嵌入させることにより、コネクタ用ブーツ１１の上端部外周１２の外側に被さってオーバーラップし、ＣＡＴＶ機器用防水ブーツ１とコネクタ用ブーツ１１の連結部から雨水等が内部浸入できないようにしてある。
【００１８】
（ＣＡＴＶ機器用防水ブーツのその他の実施形態）
本発明のＣＡＴＶ機器用防水ブーツの形状は、前記図１、図２に示す裾広がりのものに限られず、ＣＡＴＶ機器や中継部品の形状に応じて任意とすることができる。また、オーバーラップ部もコネクタ用ブーツの上端部外周の外側に確実にオーバーラップ可能な構造であれば他の任意構造とすることができる。
【００１９】
（ＣＡＴＶ機器用接続端子部の被覆構造の実施形態１）
本発明のＣＡＴＶ機器用接続端子部の被覆構造の実施形態の一例を図２に基づいて説明する。図２に示すＣＡＴＶ機器２は例えばタップオフのような接続端子３を有する機器であり、アルミダイカスト製の筺体本体の底面から外側に突出している接続端子３に、上りカットフィルタやアッテネータ（減衰器）等の中継部品４が連結され、水切り用外周壁８と接続端子３との間の差込み空間９内にＣＡＴＶ機器用防水ブーツ１の上部の端子被覆部５の上端部７を差込んで接続端子３と中継部品４の外周をそのＣＡＴＶ機器用防水ブーツ１によって一連に被覆してある。また、中継部品４にはＮＦコネクタやＦ型コネクタ等のケーブル接続用コネクタ（以下「コネクタ」とする。）１０が連結され、ＣＡＴＶ機器用防水ブーツ１の下部の差込部１４をコネクタ用ブーツ１１内に差込み、コネクタ用ブーツ１１の上端部外周１２をＣＡＴＶ機器用防水ブーツ１の差込み空間１６に嵌入させてＣＡＴＶ機器用防水ブーツ１とコネクタ用ブーツ１１とを連結し、更に、ＣＡＴＶ機器用防水ブーツ１のオーバーラップ部１３をコネクタ用ブーツ１１の上端部外周１２に被せて中継部品４に連結したコネクタ１０をも一連に被覆し、ＣＡＴＶ機器用防水ブーツ１とコネクタ用ブーツ１１を連結している。従って、コネクタ用ブーツ１１の上端部外周１２がオーバーラップ部１３によって確実に上から被覆され、ＣＡＴＶ機器用防水ブーツ１とコネクタ用ブーツ１１の連結部から雨水等が内部に浸入しないようにしてある。
【００２０】
（ＣＡＴＶ機器用接続端子部の被覆構造のその他の実施形態）
本発明のＣＡＴＶ機器は、接続端子を備える任意のＣＡＴＶ機器とすることができる。また、ＣＡＴＶ機器に取付けられる中継部品に用いられるＣＡＴＶ機器用防水ブーツの形状は、前記図１、図２に示すものには限られず、備え付けるＣＡＴＶ機器や中継部品の形状に応じて任意とすることができる。ＣＡＴＶ機器用防水ブーツのオーバーラップ部も、コネクタ用ブーツの上端部外周を確実に被覆可能な構造であれば任意の構造とすることができる。
【産業上の利用可能性】
【００２１】
本発明のＣＡＴＶ機器用防水ブーツは、ＣＡＴＶ機器の接続端子及びそれに取付ける中継部品の被覆用には限られず、任意の電気機器の接続端子やそれに取付けるコネクタの被覆用としても応用することができる。従って、本発明の被覆構造は任意の電気機器に夫々応用することができる。
【図面の簡単な説明】
【００２２】
【図１】（ａ）は本発明のＣＡＴＶ機器用防水ブーツと、コネクタ用ブーツの実施形態の一例を示す正面説明図。（ｂ）は本発明のＣＡＴＶ機器用接続端子部の被覆構造の分解説明図。
【図２】本発明のＣＡＴＶ機器用接続端子部の被覆構造の一例を示す断面図。
【図３】（ａ）は従来のＣＡＴＶ機器用接続端子部の被覆構造の分解説明図、（ｂ）は従来のＣＡＴＶ機器用接続端子部の被覆構造の説明図。
【図４】（ａ）はＣＡＴＶ機器の接続端子へのＮＦコネクタの連結と、コネクタに被せるコネクタ用ブーツの正面分解図、（ｂ）はＣＡＴＶ機器の接続端子へコネクタを連結し、そのコネクタにコネクタ用ブーツを被せた状態の正面説明図。
【符号の説明】
【００２３】
１  ＣＡＴＶ機器用防水ブーツ
２  ＣＡＴＶ機器
３  接続端子
４  中継部品
５  端子被覆部
６  中継部品被覆部
７  （端子被覆部の）上端部
８  水切り用外周壁
９  差込み空間
１０  ケーブル接続用コネクタ
１１  コネクタ用ブーツ
１２  （コネクタ用ブーツの）上端部外周
１３  オーバーラップ部
１４  差込部
１５  外周被覆部
１６  差込み空間
【図１】
2008140597.tif 000003
【図２】
2008140597.tif 000004
【図３】
2008140597.tif 000005
【図４】
2008140597.tif 000006